【手続補正書】
【提出日】平成17年5月27日(2005.5.27)
【手続補正１】
【補正対象書類名】明細書
【補正対象項目名】特許請求の範囲
【補正方法】変更
【補正の内容】
【特許請求の範囲】
【請求項１】
基板と前記基板上に形成された少なくとも一層の記録層を備えた追記型の光記録媒体に、少なくとも記録パワーおよび第一の基底パワーを含むパルス列パターンにしたがって変調されたレーザビームを照射し、前記記録層に少なくとも二つの記録マークを形成して、データを記録する方法であって、前記記録パワーからなるパルスの前後の少なくとも一方に、前記第一の基底パワーよりも強度の低い第二の基底パワーを含むパルス列パターンにしたがって、レーザビームのパワーを変調し、最短ブランク間隔と記録線速度との比を４０ｎｓｅｃ以下に設定して、少なくとも二つの記録マークを形成することを特徴とする光記録媒体へのデータの記録方法。
【請求項２】
前記光記録媒体が、さらに、光透過層と、前記基板と前記光透過層の間に形成された第一の記録層と第二の記録層を備え、前記光透過層を介して、レーザビームを照射して、前記第一の記録層に主成分として含まれている元素と、前記第二の記録層に主成分として含まれている元素とを混合させて、前記少なくとも二つの記録マークを形成することを特徴とする請求項１に記載の光記録媒体へのデータの記録方法。
【請求項３】
前記第二の記録層が、前記第一の記録層に接するように、形成されたことを特徴とする請求項２に記載の光記録媒体へのデータの記録方法。
【請求項４】
最短ブランク間隔と記録線速度との比を２０ｎｓｅｃ以下に設定して、少なくとも二つの記録マークを形成することを特徴とする請求項１ないし３のいずれか１項に記載の光記録媒体へのデータの記録方法。
【請求項５】
前記記録パワーからなるパルスが、前記記録マークの長さに対応する数の分割パルスによって構成されていることを特徴とする請求項１ないし４のいずれか１項に記載の光記録媒体へのデータの記録方法。
【請求項６】
前記分割パルス間においては、レーザビームのパワーが前記第一の基底パワーに設定されることを特徴とする請求項５に記載の光記録媒体へのデータの記録方法。
【請求項７】
前記光記録媒体に、４５０ｎｍ以下の波長を有するレーザビームを照射して、データを記録することを特徴とする請求項１ないし６のいずれか１項に記載の光記録媒体へのデータの記録方法。
【請求項８】
λ／ＮＡ≦６４０ｎｍを満たす開口数ＮＡを有する対物レンズおよび波長λを有するレーザビームを用い、前記対物レンズを介して、前記光記録媒体に、レーザビームを照射して、データを記録することを特徴とする請求項１ないし６のいずれか１項に記載の光記録媒体へのデータの記録方法。
【請求項９】
基板と前記基板上に形成された少なくとも一層の記録層を備えた追記型の光記録媒体に、少なくとも記録パワーおよび第一の基底パワーを含むパルス列パターンにしたがって変調されたレーザビームを照射するレーザ照射手段を備えた光記録媒体へのデータの記録装置であって、最短ブランク間隔と記録線速度との比が４０ｎｓｅｃ以下に設定され、前記レーザ照射手段が、前記記録パワーからなるパルスの前後の少なくとも一方に、前記第一の基底パワーよりも強度の低い第二の基底パワーを含むパルス列パターンにしたがって、レーザビームのパワーを変調するように構成されたことを特徴とする光記録媒体へのデータの記録装置。
【請求項１０】
最短ブランク間隔と記録線速度との比を２０ｎｓｅｃ以下に設定されるように構成されたことを特徴とする請求項９に記載の光記録媒体へのデータの記録装置。
【請求項１１】
前記記録パワーからなるパルスが、前記記録マークの長さに対応する数の分割パルスによって構成されていることを特徴とする請求項９または１０に記載の光記録媒体へのデータの記録装置。
【請求項１２】
前記分割パルス間においては、レーザビームのパワーが前記第一の基底パワーに設定されることを特徴とする請求項１１に記載の光記録媒体へのデータの記録装置。
【請求項１３】
前記光記録媒体に、４５０ｎｍ以下の波長を有するレーザビームを照射して、データを記録することを特徴とする請求項９ないし１２のいずれか１項に記載の光記録媒体へのデータの記録装置。
【請求項１４】
λ／ＮＡ≦６４０ｎｍを満たす開口数ＮＡを有する対物レンズおよび波長λを有するレーザビームを用い、前記対物レンズを介して、前記光記録媒体に、レーザビームを照射して、データを記録することを特徴とする請求項９ないし１２のいずれか１項に記載の光記録媒体へのデータの記録装置。
【請求項１５】
基板と前記基板上に形成された少なくとも一層の記録層を備え、少なくとも記録パワーおよび第一の基底パワーを含むパルス列パターンにしたがって変調されたレーザビームが照射されて、前記記録層に少なくとも二つの記録マークが形成され、データが記録されるように構成された追記型の光記録媒体であって、最短ブランク間隔と記録線速度との比を４０ｎｓｅｃ以下に設定し、前記記録パワーからなるパルスの前後の少なくとも一方に、前記第一の基底パワーよりも強度の低い第二の基底パワーを含むパルス列パターンにしたがって、レーザビームのパワーを変調するために必要な記録条件設定用データが記録されていることを特徴とする光記録媒体。
【請求項１６】
さらに、光透過層と、前記基板と前記光透過層の間に形成された第一の記録層と第二の記録層を備え、前記光透過層を介して、レーザビームが照射されたときに、前記第一の記録層に主成分として含まれている元素と、前記第二の記録層に主成分として含まれている元素とが混合し、記録マークが形成されるように構成されたことを特徴とする請求項１５に記載の光記録媒体。
【請求項１７】
前記第二の記録層が、前記第一の記録層に接するように、形成されたことを特徴とする請求項１６に記載の光記録媒体。
【請求項１８】
前記光透過層が、１０ないし３００ｎｍの厚さを有するように形成されたことを特徴とする請求項１６または１７に記載の光記録媒体。
【請求項１９】
前記記録パワーからなるパルスが、前記記録マークの長さに対応する数の分割パルスによって構成されていることを特徴とする請求項１５ないし１８のいずれか１項に記載の光記録媒体。
【請求項２０】
前記分割パルス間においては、レーザビームのパワーが前記第一の基底パワーに設定されていることを特徴とする請求項１９に記載の光記録媒体。
【手続補正２】
【補正対象書類名】明細書
【補正対象項目名】００４３
【補正方法】変更
【補正の内容】
【００４３】
【課題を解決するための手段】
本発明者は、本発明のかかる目的を達成するため、鋭意研究を重ねた結果、少なくとも記録パワーおよび第一の基底パワーを含むパルス列パターンにしたがって変調されたレーザビームを光記録媒体に照射し、光記録媒体の記録層に少なくとも二つの記録マークを形成して、データを記録する際に、記録パワーからなるパルスの前後の少なくとも一方に、第一の基底パワーよりも強度の低い第二の基底パワーを含むパルス列パターンにしたがって、レーザビームのパワーを変調し、最短ブランク間隔と記録線速度との比を４０ｎｓｅｃ以下に設定して、少なくとも二つの記録マークを形成することによって、所望の長さと幅を有する記録マークを形成することができ、記録信号のジッターを悪化を防止し、Ｃ／Ｎ比の低下を防止し得ることを見出した。
【手続補正３】
【補正対象書類名】明細書
【補正対象項目名】００４４
【補正方法】変更
【補正の内容】
【００４４】
したがって、本発明の前記目的は、基板と前記基板上に形成された少なくとも一層の記録層を備えた追記型の光記録媒体に、少なくとも記録パワーおよび第一の基底パワーを含むパルス列パターンにしたがって変調されたレーザビームを照射し、前記記録層に少なくとも二つの記録マークを形成して、データを記録する方法であって、前記記録パワーからなるパルスの前後の少なくとも一方に、前記第一の基底パワーよりも強度の低い第二の基底パワーを含むパルス列パターンにしたがって、レーザビームのパワーを変調し、最短ブランク間隔と記録線速度との比を４０ｎｓｅｃ以下に設定して、少なくとも二つの記録マークを形成することを特徴とする光記録媒体へのデータの記録方法によって達成される。
【手続補正４】
【補正対象書類名】明細書
【補正対象項目名】００５２
【補正方法】削除
【補正の内容】
【手続補正５】
【補正対象書類名】明細書
【補正対象項目名】００５３
【補正方法】変更
【補正の内容】
【００５３】
本発明の好ましい実施態様においては、最短ブランク間隔と記録線速度との比を２０ｎｓｅｃ以下に設定して、少なくとも二つの記録マークを形成するように構成されている。
【手続補正６】
【補正対象書類名】明細書
【補正対象項目名】００５８
【補正方法】変更
【補正の内容】
【００５８】
本発明の前記目的はまた、基板と前記基板上に形成された少なくとも一層の記録層を備えた追記型の光記録媒体に、少なくとも記録パワーおよび第一の基底パワーを含むパルス列パターンにしたがって変調されたレーザビームを照射するレーザ照射手段を備えた光記録媒体へのデータの記録装置であって、最短ブランク間隔と記録線速度との比が４０ｎｓｅｃ以下に設定され、前記レーザ照射手段が、前記記録パワーからなるパルスの前後の少なくとも一方に、前記第一の基底パワーよりも強度の低い第二の基底パワーを含むパルス列パターンにしたがって、レーザビームのパワーを変調するように構成されたことを特徴とする光記録媒体へのデータの記録装置によって達成される。
【手続補正７】
【補正対象書類名】明細書
【補正対象項目名】００５９
【補正方法】変更
【補正の内容】
【００５９】
本発明の好ましい実施態様においては、最短ブランク間隔と記録線速度との比が２０ｎｓｅｃ以下に設定される。
本発明のさらに好ましい実施態様においては、前記記録パワーからなるパルスが、前記記録マークの長さに対応する数の分割パルスによって構成されている。
本発明のさらに好ましい実施態様においては、前記分割パルス間においては、レーザビームのパワーが前記第一の基底パワーに設定される。
本発明のさらに好ましい実施態様においては、前記光記録媒体に、４５０ｎｍ以下の波長を有するレーザビームを照射して、データを記録するように構成されている。
本発明のさらに好ましい実施態様においては、λ／ＮＡ≦６４０ｎｍを満たす開口数ＮＡを有する対物レンズおよび波長λを有するレーザビームを用い、前記対物レンズを介して、前記光記録媒体に、レーザビームを照射して、データを記録するように構成されている。
本発明の前記目的はまた、基板と前記基板上に形成された少なくとも一層の記録層を備え、少なくとも記録パワーおよび第一の基底パワーを含むパルス列パターンにしたがって変調されたレーザビームが照射されて、前記記録層に少なくとも二つの記録マークが形成され、データが記録されるように構成された追記型の光記録媒体であって、最短ブランク間隔と記録線速度との比を４０ｎｓｅｃ以下に設定し、前記記録パワーからなるパルスの前後の少なくとも一方に、前記第一の基底パワーよりも強度の低い第二の基底パワーを含むパルス列パターンにしたがって、レーザビームのパワーを変調するために必要な記録条件設定用データが記録されていることを特徴とする光記録媒体によって達成される。
【手続補正８】
【補正対象書類名】明細書
【補正対象項目名】００６２
【補正方法】変更
【補正の内容】
【００６２】
本発明のさらに好ましい実施態様においては、前記第二の記録層が、前記第一の記録層に接するように、形成されている。
本発明のさらに好ましい実施態様においては、前記記録パワーからなるパルスが、前記記録マークの長さに対応する数の分割パルスによって構成されている。
本発明のさらに好ましい実施態様においては、前記分割パルス間においては、レーザビームのパワーが前記第一の基底パワーに設定されている。